(57)【要約】【課題】放電ランプを点灯させる点灯回路部品が収納されるケース内に発生した熱をより効率的に放熱できる放電ランプ用点灯装置およびこの放電ランプ用点灯装置を具備する照明器具を提供する。【解決手段】放電ランプ用点灯装置１は、両端側が開口され、外面に放熱フィン１１および内面に内部フィン１３，１４が形成された金属製の中空のケース２と、放電ランプ３７を点灯させる点灯回路１７を備えてケース２に収納された点灯装置本体３と、ケース２の両端側にそれぞれ配設された端板５、５とを具備している。【選択図】図１
2007180012.tif 000002
【特許請求の範囲】
【請求項１】
両端側が開口され、外面に放熱フィンおよび内面に内部フィンが形成された金属製の中空のケースと；
放電ランプを点灯させる点灯回路を備えてケースに収納された点灯装置本体と；
ケースの両端側に前記開口を閉塞するようにそれぞれ配設された端板と；
を具備していることを特徴とする放電ランプ用点灯装置。
【請求項２】
ケースの内面には、点灯装置本体からの熱をケースに伝熱させる伝熱手段が形成されていることを特徴とする請求項１記載の放電ランプ用点灯装置。
【請求項３】
ケースの内部は、伝熱性樹脂により充填されていることを特徴とする請求項１または２記載の放電ランプ用点灯装置。
【請求項４】
点灯装置本体には、点灯回路の発熱部品が取着された放熱部材が設けられており、この放熱部材がケース内面に接触していることを特徴とする請求項１ないし３いずれか一記載の放電ランプ用点灯装置。
【請求項５】
請求項１ないし４いずれか一記載の放電ランプ用点灯装置と；
この放電ランプ用点灯装置により点灯される放電ランプと；
放電ランプを配設している器具本体と；
を具備していることを特徴とする照明器具。
【発明の詳細な説明】
【技術分野】
【０００１】
本発明は、放電ランプを点灯する放電ランプ用点灯装置および照明器具に関する。
【背景技術】
【０００２】
高圧ナトリウムランプやメタルハライドランプなどの高圧放電ランプ（ＨＩＤランプ）を点灯する放電ランプ用点灯装置は、従来から鉄心に銅線が巻かれた銅鉄型安定器が使用されているが、近年、半導体素子などの電子部品によって構成されたインバータ回路を有してなり、高圧放電ランプを高周波点灯するインバータ式電子安定器が使用されている。そして、当該放電ランプ用点灯装置は、屋外に設置されることが多く、雨や雪あるいは梅雨期などでの高湿気にさらされるので、点灯回路部品を収納するケースを密閉形や防水形に形成している。
【０００３】
密閉形や防水形のケースは、ケース内に点灯回路部品から発生した熱がこもり、例えばインバータ式電子安定器においては、電子部品が熱劣化して自身の耐久寿命が損なわれるおそれがある。このため、ケース内に発生した熱をケースから外部に放熱させて、電子部品や電気部品などの温度上昇を抑制することが行われている。
【０００４】
例えば内面および外面の少なくとも一方を黒色に着色している防水型ケースが提案されている（特許文献１参照。）。この従来技術の防水型ケースは、例えば内面および外面の両方に黒色着色が形成されていると、点灯回路部品から発せられた熱が黒色表面を通じて防水型ケースに効率よく吸収され、広い面積をもつ黒色の外面から黒体放射により効率よく放熱される。この結果、熱がこもり勝ちな防水型ケース内の温度上昇を抑制することができ、点灯回路部品および防水型ケース自身の熱劣化を防止することができるというものである。
【０００５】
また、インバータ式電子安定器が収納された防水ケースの開口部を密閉する蓋体の外面に放熱フィンを設けた照明器具が提案されている（特許文献２参照。）。この従来技術の照明器具は、外気に直接触れる蓋体の外面に放熱フィンが形成されて、インバータ式電子安定器の熱を外部に放散させる放熱効果が高められているので、防水ケースを小型化することができるというものである。
【特許文献１】特開平９−２４６７３９号公報（第５頁、第１図）
【特許文献２】特開２００３−３１０２５号公報（第４頁、第３図）
【発明の開示】
【発明が解決しようとする課題】
【０００６】
特許文献１に示す防水型ケースの黒色着色および特許文献２に示す防水ケースの外面の放熱フィンは、それぞれケース内に発生した熱を外気に放熱させ、ケース内の温度上昇を抑制することができる。
【０００７】
しかし、近年、インバータ式電子安定器は、小形化されてきており、これに伴ってケースも小形化されてきている。ケースの小形化により、ケースの放熱面積が減少し、ケースへの黒色着色やケース外面の放熱フィンのみでは、ケース内の温度上昇を所望に抑制できないという問題があった。この結果、電子部品の熱劣化により放電ランプを定格値で安定点灯させることができず、また、インバータ式電子安定器の耐久寿命が損なわれるということがあった。
【０００８】
本発明は、放電ランプを点灯させる点灯回路部品が収納されるケース内に発生した熱をより効率的に放熱できる放電ランプ用点灯装置およびこの放電ランプ用点灯装置を具備する照明器具を提供することを目的とする。
【課題を解決するための手段】
【０００９】
請求項１に記載の放電ランプ用点灯装置の発明は、両端側が開口され、外面に放熱フィンおよび内面に内部フィンが形成された金属製の中空のケースと；放電ランプを点灯させる点灯回路を備えてケースに収納された点灯装置本体と；ケースの両端側に前記開口を閉塞するようにそれぞれ配設された端板と；を具備していることを特徴とする。
【００１０】
端板は、ケースが密閉形または防水形となるように、ケースの両端側にそれぞれ配設される。    放熱フィンおよび内部フィンは、それぞれケースの表面積を大きくするものであり、ひれ、平板、山形などの形状に限定されず、ケースから突出している突出体に形成されていればよく、その形状は限定されない。そして、放熱フィンは、外部に熱を放出させるものであり、内部フィンは、ケースの内部側から伝熱されるものである。
【００１１】
放電ランプ用点灯装置がインバータ式電子安定器であると、点灯装置本体は、回路基板およびこの回路基板に実装された点灯回路の電子部品や回路部品などを有して構成される。
【００１２】
放電ランプは、高圧放電ランプまたは低圧放電ランプのいずれであってもよい。また、放電ランプ用点灯装置は、銅鉄型安定器を許容する。
【００１３】
本発明によれば、点灯装置本体に発生した熱は、ケースの内面からケースに伝熱され、ケースの外面から外部に放熱される。このとき、ケースの内面には内部フィンが形成されているので、当該内部フィンが形成されていないときよりもケースの内表面積が大きく、ケースに伝熱される熱量が大きくなっている。また、ケースの外面に放熱フィンが形成されているので、当該放熱フィンが形成されていないときよりもケースの外表面積が大きく、ケースから放熱される熱量が大きくなっている。この結果、点灯装置本体からの熱は、ケースの外面から効果的に放熱されるようになり、ケースの内部温度上昇が抑制され、点灯装置本体の温度上昇が抑制される。
【００１４】
請求項２に記載の放電ランプ用点灯装置の発明は、請求項１記載の放電ランプ用点灯装置において、ケースの内面には、点灯装置本体からの熱をケースに伝熱させる伝熱手段が形成されていることを特徴とする。
【００１５】
伝熱手段は、点灯装置本体からの熱をケースに迅速に伝熱させるものであり、例えばアルマイトや塗装などである。ここで、アルマイトや塗装などが黒色に着色されていると、熱を吸収しやすく放熱しやすい。しかし、当該着色は、黒色に限定されるものでなく、任意の色でよい。
【００１６】
本発明によれば、伝熱手段が点灯装置本体からの熱をケースに迅速に伝熱させるので、ケースの外面から放熱される熱量が多くなり、ケースの内部温度上昇がより抑制され、点灯装置本体の温度上昇がより抑制される。
【００１７】
請求項３に記載の放電ランプ用点灯装置の発明は、請求項１または２記載の放電ランプ用点灯装置において、ケースの内部は、伝熱性樹脂により充填されていることを特徴とする。
【００１８】
伝熱性樹脂は、絶縁性を有し、空気よりも熱を伝熱させるものであり、例えばシリコーン樹脂やウレタン樹脂などを用いることができる。そして、伝熱性樹脂は、ケースの内面に密着されるようにして充填されることが望ましい。
【００１９】
また、伝熱性樹脂が内部フィンに接触していると、点灯装置本体からの熱が伝熱性樹脂から内部フィンを介してケースに伝熱されるようになり、当該熱がケースから迅速に放熱される。
【００２０】
本発明によれば、点灯装置本体に発生した熱は、伝熱性樹脂に伝熱され、伝熱性樹脂内を伝熱してケースに迅速に伝熱される。これにより、ケースの外面から放熱される熱量が多くなり、ケースの内部温度上昇がより抑制され、点灯装置本体の温度上昇がより抑制される。
【００２１】
請求項４に記載の放電ランプ用点灯装置の発明は、点灯装置本体には、点灯回路の発熱部品が取着された放熱部材が設けられており、この放熱部材がケース内面に接触していることを特徴とする請求項１ないし３いずれか一記載の放電ランプ用点灯装置である。
【００２２】
ここでいう点灯回路の発熱部品とは、点灯回路の動作に伴って比較的高温となるスイッチング素子等の回路部品であり、熱的な影響を抑制するため放熱を必要とする部品を意味する。
【００２３】
また、接触は、密着状態を含むが、放熱部材からケースへ伝熱できる程度の状態であれば足りる。
【００２４】
請求項５に記載の照明器具の発明は、請求項１ないし３いずれか一記載の放電ランプ用点灯装置と；この放電ランプ用点灯装置により点灯される放電ランプと；放電ランプを配設している器具本体と；を具備していることを特徴とする。
【００２５】
本発明によれば、請求項１ないし３いずれか一記載の放電ランプ用点灯装置を具備する照明器具が提供される。
【発明の効果】
【００２６】
請求項１の発明によれば、ケースの内面に形成された内部フィンによる内表面積の増加分、点灯装置本体に発生した熱がケースに伝熱されて放熱される結果、点灯装置本体の温度上昇が低減されるので、当該点灯装置本体の部品の熱劣化を防止することができて点灯装置本体の耐久寿命を確保することができ、また、点灯装置本体およびケースを小形化することができる。
【００２７】
請求項２の発明によれば、伝熱手段により、点灯装置本体からの熱がケースに迅速に伝熱され、ケースの外面から放熱される熱量が多くなるので、点灯装置本体の温度上昇をより低減することができる。この結果、点灯装置本体をより長寿命化することができ、より点灯装置本体およびケースを小形化することができる。
【００２８】
請求項３の発明によれば、点灯装置本体からの熱は、伝熱性樹脂を介して迅速にケースに伝熱される結果、ケースの外面から放熱される熱量が多くなるので、点灯装置本体の温度上昇をより低減することができて点灯装置本体の耐久寿命をより向上させることができ、点灯装置本体およびケースをより小形化することができる。
【００２９】
請求項４の発明によれば、点灯回路の発熱部品の放熱を促進でき、部品の小形化を図ることができる。
【００３０】
請求項５の発明によれば、請求項１ないし３いずれか一記載の放電ランプ用点灯装置を具備する照明器具を提供することができる。
【発明を実施するための最良の形態】
【００３１】
以下、本発明の一実施の形態について、図面を参照して説明する。まず、本発明の第１の実施形態について説明する。
【００３２】
図１および図２は、本発明の第１の実施形態を示し、図１は放電ランプ用点灯装置の概略分解斜視図、図２は概略斜視図である。
【００３３】
図１において、放電ランプ用点灯装置１は、ケース２、点灯装置本体３、防水パッキン４および端板５を有して構成されている。
【００３４】
ケース２は、例えばアルミニウム（Ａｌ）等の導電性金属材料により押し出し成形されたケース本体６およびケース蓋体７からなっている。ケース本体６は、両端側に開口８，８、上部に長手方向に沿う開口９および中空を有する断面略コ字状に形成され、上部端面に長手方向に沿って凹溝１０，１０が形成されているとともに、外面６ａに長手方向に沿って複数の放熱フィン１１が形成されている。
【００３５】
また、ケース蓋体７は、断面略円弧状に形成され、長手方向両端部にケース本体６の凹溝１０，１０に嵌入される凸部１２，１２が長手方向に沿って形成されているとともに、内面７ｂに長手方向に沿って内部フィン１３，１４がそれぞれ複数形成されている。内部フィン１３，１４は、表面積が広くなるように長方形状に形成され、ケース蓋体７の内面７ｂからケース２の内部に突出している。また、内部フィン１４は、内部フィン１３よりもケース蓋体７の内面７ｂから突出長を大きくして表面積を大きくしている。
【００３６】
そして、ケース本体６の凹溝１０，１０にケース蓋体７の凸部１２，１２が嵌入したときに、ケース本体６およびケース蓋体７は一体化されて、ケース２が形成される。このとき、凹溝１０および凸部１２の箇所からケース２内に雨水や湿気が侵入しないように、凹溝１０および凸部１２の間が隙間なく形成されている。そして、ケース本体６の外面６ａおよび内面６ｂとケース蓋体７の外面７ａおよび内面７ｂは、それぞれ防錆のためのアルマイト（耐蝕性酸化被膜）処理が施され、このアルマイト処理により黒色に着色されている。すなわち、ケース２の内表面６ｂ，７ｂおよび外表面６ａ，７ａには、アルマイト１５が形成されている。このアルマイト１５は、点灯装置本体３からの熱をケース２に伝熱させる伝熱手段を形成している。
【００３７】
点灯装置本体３は、回路基板１６およびこの回路基板１６に実装された放電ランプを高周波点灯させる点灯回路１７の電子部品および回路部品等を備えて形成されている。例えば、電界効果トランジスタ、ダイオード、ノイズフィルタ用のコンデンサおよびインダクタ、全波整流器、平滑用コンデンサ、突入電流防止用の抵抗またはインダクタ、チョークバラスト、直流カット用コンデンサ、共振用コンデンサ、共振用インダクタ、トランスおよびサイリスタ等のスイッチング素子などを備えている。
【００３８】
回路基板１６は長方形状の例えばガラスエポキシ材やポリブチレンテレフタレート（ＰＢＴ）材などからなり、ケース本体６の内面６ｂに設けられた凹溝１８に挿入されている。凹溝１８の両端部は、ケース２の両端側の開口８，８に臨んで開口している。回路基板１６は、ケース２の開口８，８のいずれか一方側から凹溝１８に挿入される。点灯回路１７は、放電ランプを高周波点灯させる周知の回路で形成されている。そして、放電ランプを点灯させているとき、点灯回路１７の電子部品および回路部品等は発熱する。この発熱によりケース２の内部温度が上昇する。
【００３９】
防水パッキン４，４は、ケース２の長手方向と直交する断面の略外形の大きさに形成され、ケース２の開口８，８において、端板５，５によりケース２の端面６ｃ，７ｃに密着される。これにより、ケース２の内部に水分や湿気が侵入しにくくなる。また、回路基板１６の両端部が凹溝１８の両端部に位置するようになり、回路基板１６は、凹溝１８での移動が制限され、ほとんど移動しなくなるか、移動範囲が小さくなる。こうして、点灯装置本体３は、ケース２に収納されている。
【００４０】
そして、端板５，５は、防水パッキン４，４と略同一の大きさに形成され、防水パッキン４，４を介してケース２の両端側の端面６ｃ，７ｃに開口８，８を閉塞するようにそれぞれ配設される。すなわち、ケース２には、端面６ｃ，７ｃに臨むねじ部１９が複数設けられており、ねじ２０（図２に示す。）が端板５，５に形成された複数の孔２１をそれぞれ挿通し、防水パッキン４，４のねじ貫通部２２を貫通して、ねじ部１９に螺着される。これにより、ケース２は、防水形に形成される。
【００４１】
そして、一方の端板５には挿通孔２３，２３が形成され、一方の防水パッキン４にはリード線貫通部２４，２４が形成されている。そして、点灯装置本体３の入力端子に接続されていて、外部電源に接続される図示しない入力リード線、点灯装置本体３の出力端子に接続されていて、放電ランプの電極側に接続される図示しない出力リード線および図示しないアース線が防水パッキン４のリード線貫通部２４，２４を貫通し、端板５の挿通孔２３，２３から外部に引き出されている。
【００４２】
上述したように、ケース本体６とケース蓋体７が一体化されてケース２が形成され、ケース２に点灯装置本体３が収納され、ケース２の両端側に放水パッキン４および端板５がそれぞれ配設されることにより、図２に示すように、放電ランプを点灯させる防水形の放電ランプ用点灯装置１が形成されている。なお、図１および図２において、ケース２を照明器具や筐体などに固定する取付金具等は省略している。
【００４３】
次に、本発明の第１の実施形態の作用について説明する。
【００４４】
点灯装置本体３の入力端子に入力リード線を介して外部電源が供給されると、点灯回路１７が動作し、出力端子から高周波電圧が出力される。この高周波電圧が放電ランプの電極間に印加され、放電ランプが点灯する。
【００４５】
点灯回路１７が動作すると、点灯回路１７を構成する電子部品および回路部品が発熱し、この発熱による熱がケース２内の気体に伝熱する。特に、抵抗、インダクタ、トランス、サイリスタや電界効果トランジスタ等は、発熱量を伴って発熱し、それらの発熱部品からの熱が気体へ伝熱されるとともに、ケース２の内面すなわちケース本体６の内面６ｂおよびケース蓋体７の内面７ｂに輻射される。そして、点灯回路１７からの熱がケース２内の気体に伝熱されるに従い、ケース２の内部温度が上昇する。
【００４６】
ケース２の内部温度が上昇するに従い、ケース２内の気体からケース本体６の内面６ｂおよびケース蓋体７の内面７ｂに形成されたアルマイト１５に熱が伝熱される。また、前記発熱部品からの輻射熱がアルマイト１５に伝熱される。ここで、アルマイト１５は、黒色に着色されているので、気体からの熱および前記発熱部品からの輻射熱を迅速に吸熱する。
【００４７】
また、ケース蓋体７の内面７ｂには内部フィン１３，１４が形成されているので、内部フィン１３，１４が形成されていないときよりもケース２の内表面積が大きくなっている。この内表面積が大きくなる分、吸熱面積が広くなり、気体からの熱および前記発熱部品からの輻射熱を吸熱する熱量が大きくなる。これにより、気体からの熱および前記発熱部品からの輻射熱は、アルマイト１５にさらに迅速に吸熱される。
【００４８】
こうして、ケース蓋体７の内面７ｂに内部フィン１３，１４が形成され、ケース本体６の内面６ｂおよびケース蓋体７の内面７ｂに黒色に着色されたアルマイト１５が形成されることにより、点灯回路１７（点灯装置本体３）に発生した熱が迅速にアルマイト１５に吸熱される。
【００４９】
アルマイト１５に吸熱された点灯回路１７からの熱は、アルマイト１５からケース本体６およびケース蓋体７に伝熱され、ケース本体６の外面６ａおよびケース蓋体７の外面７ａから外部に放熱される。ここで、ケース本体６の外面６ａには放熱フィン１１が形成されているので、放熱フィン１１が形成されていないときよりもケース本体６の外表面積が大きくなっている。この外表面積が大きくなる分、放熱面積が広くなり、ケース本体６の外面６ａから放熱される熱量が大きくなる。放熱される熱量が大きくなる分、点灯回路１７からの熱がケース２から迅速に放熱される。
【００５０】
上述したように、ケース２の外面６ａに放熱フィン１１、内面７ｂに内部フィン１３，１４が形成され、また、ケース２の内面６ｂ，７ｂに黒色に着色されたアルマイト１５が形成されることにより、点灯装置本体３の点灯回路１７に発生した熱が迅速にケース２から外部に放熱される。これにより、ケース２内の温度上昇が抑制されて、点灯回路１７を構成する電子部品および回路部品等の温度上昇が抑制される。この結果、当該電子部品および回路部品等の熱劣化が防止され、点灯装置本体３の耐久寿命を確保することができる。また、点灯装置本体３を小形化することができ、ケース２も小形化することができて、放電ランプ用点灯装置１全体を小形化することができる。
【００５１】
なお、黒色に着色されたアルマイト処理に代えて、ケース２の外面６ａ，７ａおよび内面６ｂ，７ｂに例えば黒色の塗装を施しても同様の作用、効果が得られる。
【００５２】
また、ケース２の外面６ａ，７ａおよび内面６ｂ，７ｂに黒色着色のアルマイト１５等の伝熱手段を形成せず、アルマイト処理等が防塵処理のみのものであっても、ケース２の内面７ｂに形成された内部フィン１３，１４にケース２内の熱が伝熱される分、ケース２の内部温度が低減される。すなわち、ケース２の内面７ｂに内部フィン１３，１４を形成することにより、点灯装置本体３の温度上昇を低減できる。
【００５３】
また、内部フィン１３，１４は、長方形状の互いに異なる大きさに形成しているが、これに限らず、同一の大きさや形状であってもよく、任意の形状であってもよい。
【００５４】
次に、本発明の第２の実施形態について説明する。
【００５５】
図３は、本発明の第２の実施形態を示す放電ランプ点灯装置の概略縦断面図である。なお、図１と同一部分には同一符号を付して説明は省略する。
【００５６】
図３に示す放電ランプ用点灯装置２５は、図１に示す放電ランプ用点灯装置１において、ケース２の内部が伝熱性樹脂２６により充填されている。伝熱性樹脂２６は、絶縁性および耐熱性であって高熱伝導性を有する例えばシリコーン樹脂である。
【００５７】
そして、サイリスタや電界効果トランジスタなどの自己発熱の大きい発熱部品１７ａは、アルミニウム（Ａｌ）製の放熱板１７ｂに装着され、この放熱板１７ｂがケース本体６の内面６ｂに接触されている。ここで、ねじ等により、放熱板１７ｂをケース本体６に固定すると、放熱板１７ｂは、ケース本体６の内面６ｂにより接触するようになる。
【００５８】
伝熱性樹脂２６は、ケース２に点灯装置本体３が収納され、ケース２の一端側に防水パッキン４および端板５が配設された後、ケース２の他端側の開口８からケース２の内部に注入される。そして、伝熱性樹脂２６は、回路基板１６に実装された点灯回路１７の電子部品および回路部品等を包むようにして、かつケース本体６の内面６ｂおよびケース蓋体７の内部フィン１４と密着するようにしてケース２の内部に充填されている。
【００５９】
なお、ケース２（放電ランプ用点灯装置１）の軽量化を図るために、伝熱性樹脂２６は、ケース蓋体７の内部フィン１４の一部を包むようにしているが、これに限らず、内部フィン１３も包むように、あるいはケース蓋体７の内面７ｂの全域と密着するようにケース２内に充填してもよい。
【００６０】
点灯回路１７に発生した熱は、伝熱性樹脂２６に伝熱され、伝熱性樹脂２６内を伝熱する。そして、伝熱性樹脂２６からケース本体６の内面６ｂに形成されたアルマイト１５に伝熱され、かつケース蓋体７の内部フィン１４に形成されたアルマイト１５に伝熱されて、ケース本体６およびケース蓋体７（ケース２）に伝熱される。
【００６１】
また、自己発熱した発熱部品１７ａの熱は、放熱板１７ｂに伝熱され、放熱板１７ｂからケース本体６の内面６ｂに形成されたアルマイト１５に伝熱されてケース本体６に伝熱される。
【００６２】
伝熱性樹脂２６は、気体よりも熱を伝熱させやすい。したがって、点灯回路１７からの熱は、伝熱性樹脂２６を介して迅速にケース２に伝熱され、ケース２の外面６ａ，７ａから放熱される熱量が多くなる。また、発熱部品１７ａを装着している放熱板１７ｂがケース本体６の内面６ｂに接触しているので、発熱部品１７ａの熱は、放熱板１７ｂを介して迅速にケース本体６に伝熱される。これにより、点灯回路１７の電子部品および回路部品の温度上昇がより抑制される。この結果、点灯装置本体３の耐久寿命をより向上させることができ、点灯装置本体３およびケース２をより小形化できる。
【００６３】
次に、本発明の第３の実施形態について説明する。
【００６４】
図４（ａ）は、放電ランプ用点灯装置の概略側面図である。本実施形態は、主に点灯回路部品の放熱構造の具体的実施形態を示したものであり、この放熱構造に直接関係しない回路基板上の他の点灯回路部品や伝熱手段等は図示上省略している。また、回路基板の位置、内部フィンの構成において、上述の実施形態とは若干異なる構成を採用しているが、上述の実施形態と同一又は相当部分には、同一符号を付し、その詳細な説明は省略する。
【００６５】
金属製のケース２は、ケース本体６とケース蓋体７からなり、放熱フィン１１及び内部フィン１３が形成されている。そして、ケース２内に設けられた回路基板１６には、放熱部材と、この放熱部材に固着された点灯回路部品とからなる放熱ユニット４０が取付けられている。
【００６６】
具体的には、放熱部材は、アルミニウム製の側面形状が略Ｌ字状の放熱板１７ｂである。また、点灯回路部品は、サイリスタや電界効果トランジスタ等の比較的自己発熱の大きい発熱部品１７ａである。
【００６７】
まず、発熱部品１７ａは、外被が絶縁性プラスチックで形成され、下方に端子１７ｄが導出されている。この発熱部品１７ａは、端子１７ｄが回路基板１６の導電パターンに電気的に接続され、上方がねじ１７ｃにより放熱板１７ｂに取着されている。
【００６８】
このねじ１７ｃによる取着により、発熱部品１７ａは放熱板１７ｂに密着状態となる。ここで、ねじ１７ｃは発熱部品１７ａ及び放熱板１７ｂを貫通し、その先端部が放熱板１７ｂ面から突出した状態となっている。この突出状態は、ねじ１７ｃが発熱部品１７ａと放熱板１７ｂとを確実に貫通していることを意味し、発熱部品１７ａの放熱板１７ｂへの取着を強め、確実かつ密着性を高めるには必然的状態であるということができる。
【００６９】
一方、放熱板１７ｂのＬ字状底面は、回路基板１６にねじ１７ｅ止めされており、側面は、ケース本体６に、ケース本体６の外側からねじ１７ｆにより引張り方向、すなわち、放熱板１７ｂをケース本体６内面に接触、密着する方向に固定している。
【００７０】
ここで、ケース本体６内面には、固定部品としてのねじ１７ｃの端部回避部４１が形成されている。具体的には、ケース本体６内面に放熱板１７ｂを支持する支持面６ｃ、６ｄを形成し、この支持面６ｃ、６ｄ間に凹溝を形成することにより固定部品の端部回避部を構成している。
【００７１】
したがって、固定部品であるねじ１７ｃの先端部は、ケース本体６内面に衝突することなく凹溝内に収容状態となり、放熱板１７ｂをケース本体６内面の支持面６ｃ、６ｄに接触、密着させることが可能となる。
【００７２】
次に本実施形態の作用を説明する。
【００７３】
まず、点灯回路が動作すると、発熱部品１７ａが発熱する。この発熱は、放熱板１７ｂに伝熱され、さらに放熱板１７ｂが密着しているケース本体６内面へと伝熱され、さらにまた、ケース本体６、ケース蓋体７へと伝熱され、放熱フィン１１、内部フィン１３の存在と相俟って放熱が促進される。
【００７４】
次に、点灯回路部品の放熱構造の他の実施形態を図４（ｂ）及び図４（ｃ）を参照して説明する。図４（ｂ）及び図４（ｃ）は、放電ランプ用点灯装置の一部概略側面図である。前述の実施形態と同一又は相当部分には、同一符号を付し、その詳細な説明は省略する。
【００７５】
図４（ｂ）では、前述の実施形態における放熱板１７ｂ面とは反対側の面に発熱部品１７ａを取付けたものを示している。この実施形態では、固定部品としてのねじ１７ｃの端部回避部４１は、ケース本体６内面突出した支持面６ｃにより形成され、ねじ１７ｃの一端部である頭部のみならず、発熱部品１７ａをも収容している。
【００７６】
なお、図４（ｃ）に示すように、固定部品の端部回避部における発熱部品１７ａの一側面をケース本体６内面に接触させるようにしてもよい。この場合、一層放熱効果を高めることが期待できる。
【００７７】
これらの実施形態による場合も、前述の実施形態と同様な発熱部品１７ａの放熱作用をもたらすことができる。
【００７８】
なお、以上の点灯回路部品の放熱構造において、放熱部材は、Ｌ字状の放熱板に限らず、また、アルミニウム製に限らず、形状、材質等において限定されるものではない。固定部品は、ねじに限定されず、割ピン、くさび部材等であってもよい。固定部品の端部回避部は、ケース本体内面に凹溝を形成するもの、穴状のものを形成するもの等、固定部品の端部がケース内面と衝突しないような構成であればよい。
【００７９】
以上の点灯回路部品の放熱構造の実施形態によれば、放熱部材とケース本体内面とを接触、密着状態とすることができ、発熱部品の放熱が促進され、発熱部品の信頼性を喪失することなく、かつ小形化が可能となる。また、発熱部品の放熱にケース本体を有効に利用しているので、放熱促進のために格別に別部品を用いることなく、コストの低下が期待できる。
【００８０】
次に、本発明の第４の実施形態について説明する。
【００８１】
図５および図６は、本発明の第４の実施形態を示し、図５は段付ポールに取り付けられた状態の照明器具の外観図、図６は照明器具の一部切り欠き断面図である。なお、図２と同一部分には、同一符号を付して説明は省略する。
【００８２】
図５に示す照明器具２７は、街路灯である。街路灯２７は、器具本体としての街路灯本体２８がジョインターアーム２９を介して中空の段付ポール３０に取り付けられている。そして、段付ポール３０は、地中３１に一部埋設されたコンクリート基礎３２に立設されている。
【００８３】
段付ポール３０は、開閉蓋３３の部位の内部に図２に示す放電ランプ用点灯装置１が収納されている。そして、電源用穴３４を介して外部より図示しない電源線およびアース線が導入され、段付ポール３０内において、放電ランプ用点灯装置１から導出されている入力リード線およびアース線にそれぞれ接続されている。そして、放電ランプ用点灯装置１の出力リード線が街路灯本体２８に配線されている。
【００８４】
街路灯本体２８は、図６に示すように、下面に開口を有する略箱状に形成されており、ソケット台３５、ランプソケット３６、放電ランプとしての高圧放電ランプ３７および反射板３８などを配設している。ランプソケット３６は、放電ランプ用点灯装置１の出力リード線と接続されている。高圧放電ランプ３７は、例えばメタルハライドランプが用いられている。
【００８５】
そして、放電ランプ用点灯装置１に電源線を介して外部電源が投入されると、メタルハライドランプ３７が点灯する。メタルハライドランプ３７より放射された直接光および反射板３８で放射された反射光は、街路灯本体２８の開口から路面に出射される。こうして、街路灯２７は、路面を照明する。
【００８６】
放電ランプ用点灯装置１によりメタルハライドランプ３７が点灯されると、放電ランプ用点灯装置１の点灯装置本体３に発生した熱がケース２から段付ポール３０の内部空間に放熱される。そして、当該熱は、段付ポール３０に伝熱して、段付ポール３０から大気中に放熱される。
【００８７】
そして、放電ランプ用点灯装置１は、防水形に形成されているので、開閉蓋３３と段付ポール３０との隙間や電源用穴３４から雨水や湿気が段付ポール３０内に侵入しても、ケース２内に水分や湿気が浸入することが防止されている。
【図面の簡単な説明】
【００８８】
【図１】本発明の第１の実施形態を示す放電ランプ用点灯装置の概略分解斜視図。
【図２】同じく、放電ランプ用点灯装置の概略斜視図。
【図３】本発明の第２の実施形態を示す放電ランプ用点灯装置の概略縦断面図。
【図４】本発明の第３の実施形態を示す放電ランプ用点灯装置の概略側面図。
【図５】本発明の第４の実施形態を示す段付ポールに取り付けられた状態の照明器具    の外観図。
【図６】同じく、照明器具の一部切り欠き断面図。
【符号の説明】
【００８９】
１，２５…放電ランプ用点灯装置
２…ケース
３…点灯装置本体
５…端板
１５…伝熱手段としてのアルマイト
１７ａ…点灯回路部品としての発熱部品
１７ｂ…放熱部材としての放熱板
２６…伝熱性樹脂
２７…照明器具としての街路灯
２８…器具本体としての街路灯本体
３７…放電ランプとしてのメタルハライドランプ
【図１】
2007180012.tif 000003
【図２】
2007180012.tif 000004
【図３】
2007180012.tif 000005
【図４】
2007180012.tif 000006
【図５】
2007180012.tif 000007
【図６】
2007180012.tif 000008